(57)【要約】【課題】毛糸等の糸材を用いて筒状の織物を簡単に織ることのできる簡易織り具及び、この簡易織り具を用いて筒状の織物を簡単に織る方法を提供する。【解決手段】糸材を用いて筒状の織物を織り上げる簡易織り具であって、矩形に形成された板状の織り具本体１０と、織り具本体１０の一辺１０ａに所定の間隔を存して形成された、糸材を巻き掛けるための複数の突起部１１と、一辺１０ａの一方の縁部１０ｒ近傍に形成された、糸材の一方の端部を係止するための切れ込み部１２と、一辺１０ａと対向する他辺１０ｂの他方の縁部１０ｌ近傍に形成された、糸材の他方の端部を係止するための切れ込み部１３と、を備えている。【選択図】  図１
2015067905.tif 000002
【特許請求の範囲】
【請求項１】
糸材を用いて筒状の織物を織り上げる簡易織り具であって、
矩形に形成された板状の織り具本体と、
前記織り具本体の一辺に所定の間隔を存して形成された、糸材を巻き掛けるための複数の突起部と、
前記一辺の一方の縁部近傍に形成された、前記糸材の一方の端部を係止するための切れ込み部と、
前記一辺と対向する他辺の他方の縁部近傍に形成された、前記糸材の他方の端部を係止するための切れ込み部と、を備えたことを特徴とする簡易織り具。
【請求項２】
請求項１に記載の簡易織り具であって、
前記織り具本体の前記一辺と前記他辺との間に巻き掛けられた縦糸となる糸材の間に横糸を通すために、前記横糸となる糸材が巻き付けられたシャトルを備えたことを特徴とする簡易織り具。
【請求項３】
請求項２に記載の簡易織り具であって、
前記縦糸となる糸材の隣接する糸材間を横方向に通して、前記シャトルを通すための隙間を作る長尺状のボードを備えたことを特徴とする簡易織り具。
【請求項４】
請求項１に記載の簡易織り具を用いて筒状の織物を織る方法であって、
織り具本体の他辺の他方の縁部に形成された切れ込み部に、縦糸となる糸材の一端部を嵌め込んで係止した状態の前記糸材を、
織り具本体の一方の面に沿って一辺側まで引き渡し、前記一辺の他方の縁部に形成された突起部に他方側から一方側に掛け回した後、織り具本体の一方の面に沿って他辺側まで引き渡す第１工程と、
前記他辺で折り返した後、織り具本体の他方の面に沿って一辺側まで引き渡し、すでに糸材が掛け回された前記突起部に他方側から一方側に掛け回した後、織り具本体の他方の面に沿って他辺側まで引き渡す第２工程と、
前記他辺で折り返した後、織り具本体の一方の面に沿って一辺側まで引き渡し、すでに糸材が掛け回された前記突起部に隣接する次の突起部に他方側から一方側に掛け回した後、織り具本体の一方の面に沿って他辺側まで引き渡す第３工程と、
前記第２工程と前記第３工程とを、織り具本体の一辺の一方の縁部に形成された突起部に糸材が掛け回されるまで繰り返した後、糸材の他端部を織り具本体の一辺の一方の縁部に形成された切れ込み部に嵌め込んで係止する第４工程と、
織り具本体の一方の面に張られた縦糸を１本置きにすくい上げる第５工程と、
すくい上げた縦糸と一方の面に張られた状態の縦糸との間に横糸を通して、通した横糸を織り具本体の一辺側に寄せる第６工程と、
織り具本体の他方の面に張られた縦糸を１本置きにすくい上げる第７工程と、
すくい上げた縦糸と他方の面に張られた状態の縦糸との間に、一方の面から他方の面に折り返した前記横糸を通し、通した横糸を織り具本体の一辺側に寄せる第８工程と、を含み、
前記第７工程と前記第８工程とを所望の回数繰り返すことにより、筒状の織物を織り上げていくことを特徴とする筒状の織物を織る方法。
【請求項５】
請求項４に記載の筒状の織物を織る方法であって、
前記第５工程及び前記第７工程では、請求項３に記載のボードを用いることを特徴とする筒状の織物を織る方法。
【請求項６】
請求項４または請求項５に記載の筒状の織物を織る方法であって、
前記第６工程及び前記第８工程では、請求項２に記載のシャトルと請求項３に記載のボードとを用いることを特徴とする筒状の織物を織る方法。
【請求項７】
請求項４から請求項６までのいずれか一つに記載の筒状の織物を織る方法であって、
前記第６工程で通した横糸の始端部と縦糸の他端部とを結ぶ工程と、
突起部に掛け回された縦糸を該突起部から外す工程と、
縦糸を織り具本体の他辺に沿って切断する工程と、
縦糸を切断後に前記筒状の織物を織り具本体の一辺側から引き抜く工程と、
前記筒状の織物から突出している全ての縦糸を束にまとめ、最後に横に通した横糸を引くことにより、前記筒状の織物の他辺側をすぼめて袋状とし、この後、最後に通した前記横糸と任意の１本の縦糸とを結ぶことにより袋状の織物を作製する工程と、をさらに含むことを特徴とする筒状の織物を織る方法。
【発明の詳細な説明】
【技術分野】
【０００１】
本発明は、毛糸等の糸材を筒状に織り上げる簡易織り具、及びこの簡易織り具を用いて筒状の織物を織る方法に関する。
【背景技術】
【０００２】
従来、毛糸等の糸材を用いて織物を簡単に織り上げるための簡易な道具が提供されている（例えば、特許文献１，２等参照）。
【０００３】
特許文献１には、タテ糸にヨコ糸を渡す作業がしやすいように本体にくぼみを設け、糸かけピンを差し込み方式にすることにより、仕上げ時に後加工の作業を必要としない簡単小型手織り機（以下、簡易手織り機という。）が開示されている。
【０００４】
また、特許文献２には、板状体の略中央部に形成した外底板と、外底板の両端部に折目線を介して連設された端板と、外底板の短手方向の両側部に折目線を介して連設された一対の側板とからなり、一対の端板は、組立て時に外側に向かって開口する複数の糸掛け部を形成し、一対の側板は、折目線と平行する折目線を介して内側板と折目線を介して外側板を有し、側板の端部には組立て時に差込スリットに差し込み固定される差し込み片を有した上部開口の箱主体を備えた組立て式の簡易手織り機が開示されている。
【先行技術文献】
【特許文献】
【０００５】
【特許文献１】特開２００９−１２１００７号公報
【特許文献２】特開平１１−２４２４２６号公報
【発明の概要】
【発明が解決しようとする課題】
【０００６】
上記従来の簡易手織り機を用いれば、毛糸等の糸材を用いて平織りの織物を簡単に織り上げることができる。
【０００７】
しかし、上記従来の簡易手織り機では、帽子や腹巻等といった筒状や袋状等の織物は織ることができないといった問題があった。
【０００８】
本発明はかかる問題点を解決すべく創案されたもので、その目的は、毛糸等の糸材を用いて筒状の織物を簡単に織ることのできる簡易織り具及び、この簡易織り具を用いて筒状の織物を簡単に織る方法を提供することにある。
【課題を解決するための手段】
【０００９】
上記課題を解決するため、本発明の簡易織り具は、糸材を用いて筒状の織物を織り上げる簡易織り具であって、矩形に形成された板状の織り具本体と、前記織り具本体の一辺に所定の間隔を存して形成された、糸材を巻き掛けるための複数の突起部と、前記一辺の一方の縁部近傍に形成された、前記糸材の一方の端部を係止するための切れ込み部と、前記一辺と対向する他辺の他方の縁部近傍に形成された、前記糸材の他方の端部を係止するための切れ込み部と、を備えたことを特徴としている。
【００１０】
この構成によれば、織り具本体の一辺に形成された突起部に糸材を巻き掛けながら、織り具本体の一辺と他辺との間に糸材を張り渡していくことにより、織り具本体の両面に縦糸となる糸材をセットできるので、後は、この縦糸の間に横糸を通していくことにより、筒状の袋物を簡単に作製することができる。
【００１１】
また、本発明の簡易織り具は、前記織り具本体の前記一辺と前記他辺との間に巻き掛けられた縦糸となる糸材の間に横糸を通すために、前記横糸となる糸材が巻き付けられたシャトルを備えた構成としてもよい。
【００１２】
この構成によると、シャトルを備えることで、縦糸の間に横糸を通していく作業が容易となる。
【００１３】
また、本発明の簡易織り具は、前記縦糸となる糸材の隣接する糸材間を横方向に通して、前記シャトルを通すための隙間を作る長尺状のボードを備えた構成としてもよい。
【００１４】
この構成によると、隣接する縦糸間に十分な隙間を設けることができるので、縦糸間に横糸を通す作業が容易となる。
【００１５】
また、本発明に係る筒状の織物を織る方法は、上記構成の簡易織り具を用いて筒状の織物を織る方法であって、織り具本体の他辺の他方の縁部に形成された切れ込み部に、縦糸となる糸材の一端部を嵌め込んで係止した状態の前記糸材を、織り具本体の一方の面に沿って一辺側まで引き渡し、前記一辺の他方の縁部に形成された突起部に他方側から一方側に掛け回した後、織り具本体の一方の面に沿って他辺側まで引き渡す第１工程と、前記他辺で折り返した後、織り具本体の他方の面に沿って一辺側まで引き渡し、すでに糸材が掛け回された前記突起部に他方側から一方側に掛け回した後、織り具本体の他方の面に沿って他辺側まで引き渡す第２工程と、前記他辺で折り返した後、織り具本体の一方の面に沿って一辺側まで引き渡し、すでに糸材が掛け回された前記突起部に隣接する次の突起部に他方側から一方側に掛け回した後、織り具本体の一方の面に沿って他辺側まで引き渡す第３工程と、前記第２工程と前記第３工程とを、織り具本体の一辺の一方の縁部に形成された突起部に糸材が掛け回されるまで繰り返した後、糸材の他端部を織り具本体の一辺の一方の縁部に形成された切れ込み部に嵌め込んで係止する第４工程と、織り具本体の一方の面に張られた縦糸を１本置きにすくい上げる第５工程と、すくい上げた縦糸と一方の面に張られた状態の縦糸との間に横糸を通して、織り具本体の一辺側に通した横糸を寄せる第６工程と、織り具本体の他方の面に張られた縦糸を１本置きにすくい上げる第７工程と、すくい上げた縦糸と他方の面に張られた状態の縦糸との間に、一方の面から他方の面に折り返した前記横糸を通して、織り具本体の一辺側に通した横糸を寄せる第８工程と、を含み、前記第７工程と前記第８工程とを所望の回数繰り返すことにより、筒状の織物を織り上げていくことを特徴としている。
【００１６】
この方法によると、織り具本体の両面に張り渡された縦糸の隣接する縦糸間に横糸を順次通していくだけで、筒状の織物を簡単に作製することができる。
【００１７】
また、本発明に係る筒状の織物を織る方法は、前記第５工程及び前記第７工程では、前記ボードを用いることができる。
【００１８】
この方法によると、ボードを用いることで、隣接する縦糸間に十分な隙間を設けることができるので、縦糸間に横糸を通す作業が容易となる。
【００１９】
また、本発明に係る筒状の織物を織る方法は、前記第６工程及び前記第８工程では、前記シャトルと前記ボードとを用いることができる。
【００２０】
この方法によると、シャトルを用いることで、縦糸の間に横糸を通して寄せる作業が容易となる。
【００２１】
また、本発明に係る筒状の織物を織る方法は、前記第６工程で通した横糸の始端部と縦糸の他端部とを結ぶ工程と、突起部に掛け回された縦糸を該突起部から外す工程と、
縦糸を織り具本体の他辺に沿って切断する工程と、縦糸を切断後に前記筒状の織物を織り具本体の一辺側から引き抜く工程と、前記筒状の織物から突出している全ての縦糸を束にまとめ、最後に横に通した横糸を引くことにより、前記筒状の織物の他辺側をすぼめて袋状とし、この後、最後に通した前記横糸と任意の１本の縦糸とを結ぶことにより袋状の織物を作製する工程と、をさらに含むことを特徴としている。
【００２２】
この方法によると、筒状の織物の一方の端部が閉じられた帽子やポーチ等の袋状の織物を簡単に作製することができる。
【発明の効果】
【００２３】
本発明は上記構成としたので、毛糸等の糸材を用いて筒状や袋状等の織物を簡単に手織りすることができる。
【図面の簡単な説明】
【００２４】
【図１】本発明の実施形態に係る簡易織り具の平面図である。
【図２】本発明の実施形態に係る簡易織り具を構成する部材を示す平面図である。
【図３Ａ】本発明の実施形態に係る簡易織り具を用いて筒状の織物を織り上げていく手順を示す説明図である。
【図３Ｂａ】本発明の実施形態に係る簡易織り具を用いて筒状の織物を織り上げていく手順を示す説明図である。
【図３Ｂｂ】本発明の実施形態に係る簡易織り具を用いて筒状の織物を織り上げていく手順を示す説明図である。
【図３Ｃ】本発明の実施形態に係る簡易織り具を用いて筒状の織物を織り上げていく手順を示す説明図である。
【図３Ｄ】本発明の実施形態に係る簡易織り具を用いて筒状の織物を織り上げていく手順を示す説明図である。
【図３Ｅ】本発明の実施形態に係る簡易織り具を用いて筒状の織物を織り上げていく手順を示す説明図である。
【図３Ｆ】本発明の実施形態に係る簡易織り具を用いて筒状の織物を織り上げていく手順を示す説明図である。
【図３Ｇａ】本発明の実施形態に係る簡易織り具を用いて筒状の織物を織り上げていく手順を示す説明図である。
【図３Ｇｂ】本発明の実施形態に係る簡易織り具を用いて筒状の織物を織り上げていく手順を示す説明図である。
【図３Ｈａ】本発明の実施形態に係る簡易織り具を用いて筒状の織物を織り上げていく手順を示す説明図である。
【図３Ｈｂ】本発明の実施形態に係る簡易織り具を用いて筒状の織物を織り上げていく手順を示す説明図である。
【図３Ｉ】本発明の実施形態に係る簡易織り具を用いて筒状の織物を織り上げていく手順を示す説明図である。
【図３Ｊ】本発明の実施形態に係る簡易織り具を用いて筒状の織物を織り上げていく手順を示す説明図である。
【図３Ｋ】本発明の実施形態に係る簡易織り具を用いて筒状の織物を織り上げていく手順を示す説明図である。
【図３Ｌ】本発明の実施形態に係る簡易織り具を用いて筒状の織物を織り上げていく手順を示す説明図である。
【図３Ｍ】本発明の実施形態に係る簡易織り具を用いて筒状の織物を織り上げていく手順を示す説明図である。
【図３Ｎ】本発明の実施形態に係る簡易織り具を用いて筒状の織物を織り上げていく手順を示す説明図である。
【図３Ｏ】本発明の実施形態に係る簡易織り具を用いて筒状の織物を織り上げていく手順を示す説明図である。
【図３Ｐ】本発明の実施形態に係る簡易織り具を用いて筒状の織物を織り上げていく手順を示す説明図である。
【図３Ｑ】本発明の実施形態に係る簡易織り具を用いて筒状の織物を織り上げていく手順を示す説明図である。
【図３Ｒ】本発明の実施形態に係る簡易織り具を用いて筒状の織物を織り上げていく手順を示す説明図である。
【図３Ｓ】本発明の実施形態に係る簡易織り具を用いて筒状の織物を織り上げていく手順を示す説明図である。
【図３Ｔ】本発明の実施形態に係る簡易織り具を用いて筒状の織物を織り上げていく手順を示す説明図である。
【図３Ｕ】本発明の実施形態に係る簡易織り具を用いて筒状の織物を織り上げていく手順を示す説明図である。
【図３Ｖ】本発明の実施形態に係る簡易織り具を用いて筒状の織物を織り上げていく手順を示す説明図である。
【図３Ｗ】本発明の実施形態に係る簡易織り具を用いて筒状の織物を織り上げていく手順を示す説明図である。
【図３Ｘ】本発明の実施形態に係る簡易織り具を用いて筒状の織物を織り上げていく手順を示す説明図である。
【図３Ｙ】本発明の実施形態に係る簡易織り具を用いて筒状の織物を織り上げていく手順を示す説明図である。
【図３Ｚ】本発明の実施形態に係る簡易織り具を用いて筒状の織物を織り上げていく手順を示す説明図である。
【発明を実施するための形態】
【００２５】
以下、本発明の実施の形態について、図面を参照して説明する。
【００２６】
図１は、本発明の実施形態に係る簡易織り具の平面図である。
【００２７】
図１に示す簡易織り具は、糸材を用いて筒状や袋状等の織物を織り上げることのできる織り具であって、矩形に形成された薄板状の織り具本体１０を備えている。
【００２８】
織り具本体１０には、その一辺（以下、「下辺」という。）１０ａに所定の間隔を存して、糸材を巻き掛けるための複数の突起部１１，１１，…が形成されている。また、下辺１０ａの一方の縁部（以下、「右辺」という。）１０ｒ近傍には、糸材の一方の端部を係止するための切れ込み部１２が形成されている。また、下辺１０ａと対向する他辺（以下、「上辺」という。）１０ｂの他方の縁部（以下、「左辺」という。）１０ｌ近傍には、糸材の他方の端部を係止するための切れ込み部１３が形成されている。
【００２９】
本実施形態では、下辺１０ａ、上辺１０ｂ、右辺１０ｒ、左辺１０ｌは、図１に示す織り具本体１０の状態を基準として定義している。すなわち、織り具本体１０を裏返した状態では、右辺１０ｒと左辺１０ｌの位置が図面上では反対になる。また、本実施形態では、図１に示す織り具本体１０の状態において見えている面を表面、見えていない裏側の面を裏面と定義する。なお、織り具本体１０の表面と裏面が分かるように、図面中に「表面」、「裏面」を適宜表記する。
【００３０】
このような構成の簡易織り具によれば、織り具本体１０の下辺１０ａに形成された突起部１１に糸材を巻き掛けながら、織り具本体１０の下辺１０ａと上辺１０ｂとの間に糸材を張り渡していくことにより、織り具本体１０の表裏両面に縦糸となる糸材がセットできる。従って、縦糸をセットした後は、この縦糸の間に横糸を通していくことにより、筒状の袋物を簡単に作製することができる。
【００３１】
ここで、本実施形態に係る簡易織り具では、図２に示すように、織り具本体１０の下辺１０ａと上辺１０ｂとの間に巻き掛けられた縦糸となる糸材の間に横糸を通すために、横糸となる糸材６０が巻き付けられたシャトル２０を備えている。シャトル２０を備えることで、縦糸の間に横糸を通していく作業が容易となる。
【００３２】
シャトル２０は、長尺状の板体であって、その長手方向の両端部には、横糸を巻き付けるための凹部２１，２１が形成されている。
【００３３】
また、本実施形態に係る簡易織り具では、図２に示すように、縦糸となる糸材の隣接する糸材間を横方向に通して、シャトル２０を通すための隙間（通路）を作る長尺状のボード３０を備えている。ボード３０を用いることで、隣接する縦糸間に十分な隙間（通路）を設けることができるので、縦糸間に横糸（すなわち、シャトル２０）を通す作業が容易となる。
【００３４】
ボード３０は、シャトル２０と同じく長尺状の板体であって、その長手方向の両端部は、角部が面取りされている。
【００３５】
これらシャトル２０及びボード３０の長さは、織り具本体１０の幅方向（左右方向）の長さより若干長くしておくのが良い。
【００３６】
なお、これら織り具本体１０、シャトル２０、ボード３０は、例えば硬質の厚紙や段ボール等で作製することが可能であるが、その他にも、硬質の樹脂材や薄板材などで作製することも可能である。
【００３７】
ただし、本実施形態の簡易織り具では、織り具本体１０は必須であるが、シャトル２０やボード３０は必ずしも必要なものではない。ただし、作業性を考慮すれば、シャトル２０やボード３０を用いる方が便利である。
【００３８】
次に、上記構成の簡易織り具を用いて筒状の織物を織る方法について、図３Ａ〜図３Ｚに示す織り手順の説明図を参照して説明する。ただし、以下の説明では、複数ある突起部１１，１１，…を区別する必要がある場合には、必要に応じて突起部の符号である数字「１１」の横に小文字の英文字を付与して区別するものとする。
【００３９】
まず、図３Ａに示すように、織り具本体１０の上辺１０ｂの他方の縁部（左辺１０ｌ側）に形成された切れ込み部１３に、縦糸となる糸材（以下、縦糸という。）５０の一端部５０ａを嵌め込んで係止する。
【００４０】
次に、図３Ｂａ及び図３Ｂｂに示すように、一端部５０ａを嵌め込んだ状態の縦糸５０を、織り具本体１０の表面に沿って下辺１０ａ側まで引き渡し、下辺１０ａの左辺１０ｌ寄りに形成された最初の突起部１１ａに、左辺１０ｌ側から右辺１０ｒ側に（すなわち、左側から右側に）向かって該突起部１１ａの裏面側を通って掛け回した後、織り具本体１０の表面に沿って再び上辺１０ｂ側まで引き渡す（第１工程）。
【００４１】
次に、図３Ｃに示すように、織り具本体１０を裏返した後、縦糸５０を上辺１０ｂで裏面側に折り返し、今度は、織り具本体１０の裏面に沿って下辺１０ａ側まで引き渡す。そして、図３Ｄに示すように、すでに縦糸５０が掛け回された突起部１１ａに左辺１０ｌ側から右辺１０ｒ側（ただし、図３Ｄでは、右側から左側）に向かって該突起部１１ａの表面側を通って掛け回した後、織り具本体１０の裏面に沿って上辺１０ｂ側まで引き渡す（第２工程）。
【００４２】
次に、図３Ｅに示すように、織り具本体１０を表側に返した後、縦糸５０を上辺１０ｂで表面側に折り返し、織り具本体１０の表面に沿って下辺１０ａ側まで引き渡す。そして、図３Ｆに示すように、すでに縦糸５０が掛け回された突起部１１ａに隣接する次の突起部１１ｂに、左辺１０ｌ側から右辺１０ｒ側に向かって該突起部１１ｂの裏面を通って掛け回した後、織り具本体１０の表面に沿って上辺１０ｂ側まで引き渡す（第３工程）。
【００４３】
この後、図３Ｇａ及び図３Ｇｂに示すように、上記第２工程（図３Ｃ及び図３Ｄ）と第３工程（図３Ｅ及び図３Ｆ）とを、織り具本体１０の下辺１０ａの一方の縁部（右辺１０ｒ側）に形成された最後の突起部１１ｋに縦糸５０が掛け回されるまで繰り返した後、縦糸５０の他端部５０ｂを織り具本体１０の下辺１０ａの一方の縁部（右辺１０ｒ側）に形成された切れ込み部１２に嵌め込んで係止する（第４工程）。
【００４４】
以上により、織り具本体１０への縦糸５０の係止、すなわち縦糸のセット（準備）が完了する。
【００４５】
次に、図３Ｈａ及び図３Ｈｂに示すように、織り具本体１０の表面に張られた縦糸５０をボード３０を用いて１本置きにすくい上げる（第５工程）。
【００４６】
すなわち、織り具本体１０の表面側において、寝かせた状態のボード３０を、右辺１０ｒ側から左辺１０ｌ側に向かって、織り具本体１０の表面に張られた縦糸５０を１本置きにすくい上げるように横方向に（右側から左側に向かって）差し込んで行く。このとき、最初の縦糸５０（すなわち、右端の縦糸）から上、下、上、下、・・・の順にすくい上げていく。その結果、最後の縦糸（すなわち、左端の縦糸）は上となる。
【００４７】
このようにしてボード３０を最後まで差し込むと、図３Ｉに示すように、ボード３０を立て起こして、すくい上げた縦糸５０を三角状に上方に張り上げて、横糸を通すための隙間（通路）を確保する。
【００４８】
次に、図３Ｊ及び図３Ｋに示すように、すくい上げた縦糸５０と表面に張られた状態の縦糸５０との間の通路に、横糸６０が巻き付けられたシャトル２０を通して横糸６０を通した後、図３Ｌ及び図３Ｍに示すように、立てていたボード３０を寝かせて織り具本体１０の下辺１０ａ側に寄せることにより、織り具本体１０の表面側を通した横糸６０を、織り具本体１０の下辺１０ａ側に寄せる（第６工程）。
【００４９】
次に、図３Ｎに示すように、織り具本体１０を裏返し、表面のときと同様に、織り具本体１０の裏面に張られた縦糸５０をボード３０を用いて１本置きにすくい上げる（第７工程）。
【００５０】
すなわち、織り具本体１０の裏面側において、寝かせた状態のボード３０を、今度は左辺１０ｌ側から右辺１０ｒ側（ただし、図３Ｎでは右側から左側）に向かって、織り具本体１０の裏面に張られた縦糸５０を１本置きにすくい上げるように横方向に差し込んで行く。このとき、表面側の最後の縦糸（すなわち、左端の縦糸）５０は上で終わっているので、裏面側では下、上、下、上、・・・の順で縦糸５０をすくい上げていく。その結果、裏面側の最後の縦糸は上となる。
【００５１】
このようにしてボード３０を最後まで差し込むと、図３Ｏに示すように、ボード３０を立て越して、すくい上げた縦糸５０を三角状に上方に張り上げて、横糸を通すための通路を確保する。
【００５２】
次に、図３Ｐ及び図３Ｑに示すように、すくい上げた縦糸５０と裏面に張られた状態の縦糸５０との間に、横糸６０が巻き付けられたシャトル２０を通して横糸６０を通した後、図３Ｒに示すように、立てていたボード３０を寝かせて織り具本体１０の下辺１０ａ側に寄せることにより、織り具本体１０の裏面側を通した横糸６０を、織り具本体１０の下辺１０ａ側に寄せる（第８工程）。
【００５３】
この後、上記第７工程と第８工程とを所望の回数繰り返す（図３Ｓ参照）ことにより、図３Ｔに示すように、所望する長さの筒状の織物Ａを織り上げることができる。
【００５４】
この方法によると、織り具本体１０の表裏両面に張り渡された縦糸５０の隣接する縦糸間に、表面側、裏面側、表面側、裏面側、・・・の順に横糸６０を順次通していくだけで、筒状の織物を簡単に作製することができる。
【００５５】
この後、図３Ｕに示すように、表面側の右下の縦糸５０の一端部５０ａと、横糸６０の始端部６０ａとを結ぶ。
【００５６】
次に、図３Ｖに示すように、織り具本体１０の各突起部１１に表裏から掛け回された縦糸５０を、突起部１１から外す。
【００５７】
次に、図３Ｗに示すように、縦糸５０を織り具本体１０の上辺１０ｂに沿って切断する。
【００５８】
なお、図３Ｕ、図３Ｖ、図３Ｗに示す工程は、必ずしもこの順番で行う必要はなく、任意の順番でよい。
【００５９】
そして、縦糸５０を切断後、筒状の織物Ａを織り具本体１０の下辺１０ａ側から引き抜く。
【００６０】
次に、図３Ｘに示すように、筒状の織物Ａから突出している全ての縦糸５０を束にまとめ、最後に横に通した横糸６０ｂを引くことにより、筒状の織物Ａの上辺側をすぼめて袋状とする。次に、引いた最後の横糸６０ｂで、束ねた縦糸５０の根元部分を例えば４〜５周しっかりと巻き付けた後、図３Ｙに示すように、最後に通した横糸６０ｂの終端部６０ｂ１と、切断した任意の１本の縦糸５０ｃとを結ぶことにより、図３Ｚに示すように、最終形態の袋状の織物Ａを作製する。
【００６１】
この例では、袋状の織物Ａとして帽子を作製しているが、帽子以外にも、筒状の織物の一方の端部が閉じられた例えばポーチ等の織物も簡単に作製することができる。
【００６２】
また、上記実施形態では、織り具本体１０は、一辺１０ａにのみ突起部１１を形成しているが、他の実施形態とてし、他辺１０ｂにも所定の間隔を存して複数の突起部１１を形成してもよい。この場合、縦糸となる糸材５０の掛け回しは、一辺１０ａ側の一つの突起部１１に対して第１工程と第２工程とを実施すると、次に他辺１０ｂ側の対向する一つの突起部１１に対して第１工程と第２工程とを実施し、この後、第３工程を実施するようにすればよい。すなわち、第１工程と第２工程とを、一辺１０ａ側の突起部１１とこれに対向する他辺１０ｂ側の突起部１１の両方に実施した後、第３工程を実施する、という手順を最後の突起部１１まで行うことで、縦糸５０をセットすることができる。この場合、隣接する突起部１１，１１間には、縦糸が４本存在することになるが、上記実施形態と同様、上、下、上、下・・・の順で縦糸をすくい上げて横糸６０を通していくことで、織り具本体１０の一辺１０ａ側と他辺１０ｂ側の両方で、筒状の織物をそれぞれ作製することができる。ただし、この場合には、織り具本体１０の中央部で表裏の縦糸５０をそれぞれ横方向に切断することになる。
【００６３】
なお、今回開示した実施形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【産業上の利用可能性】
【００６４】
本発明は、毛糸等の糸材を用いて帽子やポーチ等の筒状や袋状等の織物を手織りで織る技術分野全般に寄与するところは大きい。
【符号の説明】
【００６５】
１０  織り具本体
１０ａ  一辺（下辺）
１０ｂ  他辺（上辺）
１０ｒ  一方の縁部（右辺）
１０ｌ  他方の縁部（左辺）
１１（１１ａ，１１ｂ，・・・１１ｋ）  突起部
１２，１３  切れ込み部
２０  シャトル
２１  凹部
３０  ボード
５０，５０ｃ  縦糸（糸材）
５０ａ  一端部
５０ｂ  他端部
６０，６０ｂ  横糸（糸材）
６０ａ  始端部
６０ｂ１  終端部                                                                            
【図１】
2015067905.tif 000003
【図２】
2015067905.tif 000004
【図３Ａ】
2015067905.tif 000005
【図３Ｂａ】
2015067905.tif 000006
【図３Ｂｂ】
2015067905.tif 000007
【図３Ｃ】
2015067905.tif 000008
【図３Ｄ】
2015067905.tif 000009
【図３Ｅ】
2015067905.tif 000010
【図３Ｆ】
2015067905.tif 000011
【図３Ｇａ】
2015067905.tif 000012
【図３Ｇｂ】
2015067905.tif 000013
【図３Ｈａ】
2015067905.tif 000014
【図３Ｈｂ】
2015067905.tif 000015
【図３Ｉ】
2015067905.tif 000016
【図３Ｊ】
2015067905.tif 000017
【図３Ｋ】
2015067905.tif 000018
【図３Ｌ】
2015067905.tif 000019
【図３Ｍ】
2015067905.tif 000020
【図３Ｎ】
2015067905.tif 000021
【図３Ｏ】
2015067905.tif 000022
【図３Ｐ】
2015067905.tif 000023
【図３Ｑ】
2015067905.tif 000024
【図３Ｒ】
2015067905.tif 000025
【図３Ｓ】
2015067905.tif 000026
【図３Ｔ】
2015067905.tif 000027
【図３Ｕ】
2015067905.tif 000028
【図３Ｖ】
2015067905.tif 000029
【図３Ｗ】
2015067905.tif 000030
【図３Ｘ】
2015067905.tif 000031
【図３Ｙ】
2015067905.tif 000032
【図３Ｚ】
2015067905.tif 000033